(57)【特許請求の範囲】
【請求項１】
画像格納手段に格納された画像データを表示するための表示部と、
一方を書込み用、他方を表示用とする第１、第２のフレームメモリと、
前記画像格納手段に格納された画像データが入力され、前記書込み用のフレームメモリに前記画像データを書き込む書込手段と、
前記書込み手段による書込みが終了した時点で前記書込み用のフレームメモリを表示用に、前記表示用のフレームメモリを書込み用に切り替える切替手段と、
前記切り替えが行われた後に、前記表示用に切り替わったフレームメモリから、他方のフレームメモリへ画像データを転送して上書きする第１のデータ転送手段と、
前記第１の転送手段による転送が行われると同時に、前記表示用に切り替わったフレームメモリから、前記画像格納手段へ画像データを転送して上書きする第２のデータ転送手段と、
を備えたことを特徴とする表示装置。
【発明の詳細な説明】
【０００１】
【発明の属する技術分野】
本発明は，表示装置に関し、詳細には、複写機等において画像を表示する表示装置に関する。
【０００２】
【従来の技術】
図１３および図１４は、複写機本体とＬＣＤ等を使用した操作表示部とのインターフェースに関する従来技術を説明するための図である。図１３において、５００は複写機本体、６００は操作部表示部、７００はＬＣＤを示す。上記複写機本体５００は、ＣＰＵ５０１、通信制御部５０２を含んでいる。また、操作表示部６００は、通信制御部６０１、ＣＰＵ６０２、ＬＣＤＣ（ＬＣＤコントローラ）６０３、ＶＲＡＭ６０４を含んでいる。
【０００３】
上記構成の複写機においては、複写機本体５００から、シリアル通信でＬＣＤ７００に対する描画コマンドを操作表示部６００に転送し、操作表示部６００のＣＰＵ６０２で描画コマンドを解釈しＬＣＤ７００に描画を行う。
【０００４】
また、図１４において、８００は複写機本体、９００は操作表示部を示す。上記複写機本体８００は、ＣＰＵ８０１，ＬＣＤＣ８０２，ＶＲＡＭ８０３を含んでいる。上記操作表示部９００は、ＬＣＤ９０１を含んでいる。
【０００５】
上記構成の複写機においては、複写機本体側８００で、ＶＲＡＭ８０３に直接描画した後、操作表示部側９００にビデオデータを転送し、操作表示部９００のＬＣＤ９０１に表示する。
【０００６】
【発明が解決しようとする課題】
しかしながら、上記図１３に示した従来技術にあっては、コマンドレベルで描画するため、複写機本体５００のＣＰＵ５０１には、頻繁に通信制御部５０２からの送信インタラプトが入り、ＣＰＵ５０１にとってシリアル通信の負担が重くなり、他の処理（複写機本来の処理）に影響を及ぼすという問題がある。
【０００７】
また、上記図１４に示した従来技術にあっては、ＶＲＡＭ８０３に直接描画を行うため、通信インタラプトの負担は減るが、複写機本体８００と操作表示部９００とのデータ転送レートが上がりノイズ放射、転送の精度の面で問題がある。
【０００８】
本発明は、上記に鑑みてなされたものであり、データ転送量を低減し、高速に表示が可能な表示制御装置および表示装置へのデータ転送方法を提供することを目的とする。
【０００９】
【課題を解決するための手段】
上記課題を解決するために、本発明は、装置本体側から表示装置側に画像データを転送して表示を行う表示制御装置において、前記装置本体は、画像データを格納する第１の記憶手段と、前記第１の記憶手段に、前記表示装置に表示すべき画像データを描画するデータ描画手段と、前記第１の記憶手段に描画された画像データをウインドウ単位で前記表示装置側に転送するデータ転送手段とを含み、前記表示装置は、画像データを表示する表示部と、少なくとも２つのフレームメモリを備えた第２の記憶手段と、前記第２の記憶手段の一方のフレームメモリを書込用として、前記データ転送手段から転送される画像データを書き込む書込手段と、前記記憶手段の他方のフレームメモリを表示用として、当該他方のフレームメモリに格納されている画像データを読み出して前記表示部に表示する読出手段と、前記少なくとも２つのフレームメモリの役割を切り替える切替手段とを含むものである。
【００１０】
また、本発明の好ましい態様によれば、前記表示装置は、さらに、前記切替手段により、表示用に切り替えられた前記フレームメモリに格納されている画像データを、書込用に切り替えられた前記フレームメモリに転送するメモリ間データ転送手段を含むことが望ましい。
【００１１】
また、本発明の好ましい態様によれば、前記表示装置は、さらに、前記切替手段により、表示用に切り替えられた前記フレームメモリに格納されている画像データを、前記装置本体の第１の記憶手段に転送する逆転送手段を含むことが望ましい。
【００１２】
また、本発明の好ましい態様によれば、前記第１の記憶手段は、同時多ビットアクセス可能に設けられ、前記データ描画手段は、画像データを前記第１の記憶手段に対して同時多ビット書込を行い、前記データ転送手段は、前記第１の記憶手段に描画された画像データを読み出し転送バスのデータ幅にデータ変換して表示装置側に転送することが望ましい。
【００１３】
また、本発明の好ましい態様によれば、装置本体側から表示装置側に画像データを転送して表示を行う表示装置へのデータ転送方法において、前記装置本体側に設けられた第１の記憶手段に、前記表示装置に表示すべき画像データを描画するステップと、前記第１の記憶手段に描画された画像データを装置本体側から表示装置側に転送するステップと、少なくとも２つのフレームメモリの一方のフレームメモリを書込用として装置本体側から転送される画像データを書き込むステップと、他方のフレームメモリを表示用として、当該他方のフレームメモリに格納されている画像データを読み出して表示部に表示するステップと、前記少なくとも２つのフレームメモリの役割を切り替えるステップとを含むものである。
【００１４】
【発明の実施の形態】
以下，図面を参照して、本発明に係る表示装置を適用した複写機の好適な実施の形態を、（実施の形態１）、（実施の形態２）、（実施の形態３）の順に詳細に説明する。
【００１５】
（実施の形態１）
実施の形態１を、図１〜図４を参照して説明する。図１は複写機の表示系の概略構成を示す図である。図１に示す複写機の表示系は、複写機本体１００、操作表示部２００、ＳＴＮやＴＦＴ等からなるＬＣＤ３００を備える。複写機本体１００と操作表示部２００は転送バスで接続されている。
【００１６】
上記複写機本体１００は、複写機の各部の制御を行うためのＣＰＵ１０１と、ＶＲＡＭ１０３に格納された画像データを操作表示部２００にＤＭＡ転送するＤＭＡＣ（ＤＭＡコントローラ）１０２と、ＬＣＤ３００に表示すべき画像データが描画されるＶＲＡＭ１０３を含んでおり、各部はバス１０４を介して接続されている。
【００１７】
上記操作表示部２００は、ＬＣＤ３００の表示制御を行うＬＣＤＣ（液晶表示コントローラ）２０１と、複写機本体１００（ＤＭＡＣ１０２）から転送される画像データの書込用（バッファ用）およびＬＣＤ３００への表示用に使用されるフレームメモリ２０２を備える。このフレームメモリ２０２は、２つのフレームメモリ（２画面分の容量）２０２Ａ、２０２Ｂを含んでいる（図２参照）。２つのフレームメモリ２０２Ａ、２０２Ｂは、複写機本体１００から転送されてくる画像データの書込用（バッファ用）およびＬＣＤ３００への表示用として使用され、この切替はＬＣＤＣ２０１により行われる。
【００１８】
つぎに、上記図１に示した複写機のＬＣＤ３００への表示動作の概略を説明する。まず、複写機本体１００側のメインＣＰＵ１０１は、ＬＣＤ３００に表示すべき画像データをＶＲＡＭ１０２に直接描画する。描画された画像データはＤＭＡコントローラ１０３により、転送バス４００を介して操作表示部２００にＤＭＡ転送される。操作表示部２００では、転送された画像データが、ＬＣＤＣ２０１を介してフレームメモリ２０２に格納される。そして、ＬＣＤＣ（液晶表示コントローラ）２０１により、フレームメモリ２０２に格納された画像データが読み出され、ＬＣＤ３００に表示される。
【００１９】
図２は、複写機本体１００のＤＭＡＣ１０２のデータ転送を詳細に説明するための説明図である。ＤＭＡＣ１０２のデータ転送は、描画するウインドウの単位で行われる。
【００２０】
操作表示部２００のフレームメモリ２０２は、上述したように、２つのフレームメモリ（２画面分のメモリ容量）２０２Ａ、２０２Ｂを有しており、まず、図２（Ａ）に示すように、フレームメモリ２０２Ａ（第１画面）は表示用に、すなわち、画像データを読み出すために使用され、フレームメモリ２０２Ｂ（第２画面）は、ＤＭＡＣ１０２により複写機本体側１００から転送されてきた画像データを書き込むための書込用（バッファ用）に使用される。
【００２１】
また、同図に示すように、ＤＭＡＣ１０２から、ＤＭＡ転送されてきたウインドウ単位の画像データは、ＬＣＤＣ２０１により、すでに書き込まれている表示データの上にウインドウ表示範囲だけ上書きされる。書き終わったところで、ＬＣＤＣ２０１により、図２（Ｂ）に示すように、フレームメモリ２０２Ａ（第１画面）とフレームメモリ２０２Ｂ（第２画面）の役割が切り替えられる。すなわち、フレームメモリ２０２Ａ（第１画面）をＤＭＡ転送されるデータの書込用（バッファ用）に、フレームメモリ２０２Ｂ（第２画面）を表示読み出し用（表示用）に使用する。これにより、ＤＭＡによる書き込み過程は表示されることなく、一瞬の内にＬＣＤ３００へのウインドウ表示が可能となる。
【００２２】
図３は、図１の操作表示部２００の具体的な構成例を示す図である。ＬＣＤＣ２０１は、ＤＭＡＣ１０２からＤＭＡ転送されてくるデータの最初のコマンド部分を読み取り解析するＤＭＡコマンド解析部２１０、フレームメモリ２０２（フレームムフレームメモリ２０２Ａ、２０２Ｂ）へのデータの書込を行う書き込みアドレス制御部２１１、フレームメモリ２０２Ａ、２０２Ｂを選択するセレクタ２１２、読み出した画像データの色指定を行うカラーパレット２１３、指定された色に階調を合わせる階調制御部２１４、ＬＣＤ３００のフォーマットに画像データを変換してＬＣＤ３００に画像データを転送するフォーマット変換部２１５を備える。
【００２３】
図４は、図１のＤＭＡＣ２０２から転送されるデータのフォーマットの一例を示す。図４に示すデータフォーマットは、コマンド、書き込み開始Ｘアドレス、書き込み開始Ｙアドレス、Ｘ方向長さ、転送バイト数、表示データ０〜Ｎ、チェックデータを含んでいる。
【００２４】
つぎに、上記ＬＣＤＣ２０１のＬＣＤ３００へのデータ転送動作を説明する。
図３において、まず、ＤＭＡコマンド解析部２１０は、ＤＭＡＣ１０２から転送されてくるデータ（図４に示すフォーマットのデータ）の最初のコマンド部分を読みとり、書き込みデータと判断したときは引き続き転送されてくるＸ方向、Ｙ方向の書き込み開始アドレス、Ｘ方向の書き込み長さを読みとる。次に、書き込みアドレス制御部２１１は、このヘッダ部分を参考にして、フレームメモリ２０２Ｂ（第２画面）の書き込みウインドウ範囲内に表示データを書き込む。そして、書き込みアドレス制御部２１１では、ＤＭＡ最後のチェックデータでＤＭＡ転送内容に間違いがなかったか否かをチェックする。この間、フレームメモリ２０２Ａ（第１画面）からは表示用データがセレクタ２１２を介して読み出され、カラーパレット部２１３で色指定される。そして、階調制御部２１４で、フレーム単位での階調制御が行われた後、フォーマット変換部２１５で、ＳＴＮやＴＦＴ等のＬＣＤ３００の表示媒体特有のフォーマットに変換しＬＣＤ３００に転送して表示を行う。
【００２５】
そして、上述したように、フレームメモリ２０２Ａ（第１画面）とフレームメモリ２０２Ｂ（第２画面）の役割を切り替え、フレームメモリ２０２Ａ（第１画面）をＤＭＡ転送データ書込用（バッファ用）に、フレームメモリ２０２Ｂ（第二画面）を表示読み出し用（表示用）に使用して同じ動作を行う。
【００２６】
以上説明したように、上記した実施の形態１においては、複写機本体側１００では、ＶＲＡＭ１０３にＬＣＤ３００に表示すべき画像データを描画し、ＤＭＡＣ１０２は、ＶＲＡＭ１０３に描画された画像データを描画するウインドウ単位で、操作表示部２００に転送し、ＬＣＤＣ２０１は、２つのフレームメモリ２０２の一方のフレームメモリ２０２Ｂ（第２画面）をバッファ用（書込用）としてＤＭＡＣ１０２から転送される画像データを上書きし、この間、他方のフレームメモリ２０２Ａ（第１画面）を表示用として、フレームメモリ２０２Ａ（第１画面）に書き込まれている画像データを読み出してＬＣＤ３００に表示し、つぎに、フレームメモリ２０２Ａ（第１画面）とフレームメモリ２０２Ｂ（第２画面）の役割を切り替えることとしたので、データ転送量を低減できると共に、転送中のデータのフレームメモリへの描画過程を表示することなく一瞬のうちに新規ウインドウをＬＣＤ３００に表示することが可能となる。
【００２７】
（実施の形態２）
実施の形態２を図５および図６を参照して説明する。上記実施の形態１で説明したように、画面全体を書き換える転送方法の場合には、上述したように２つのフレームメモリを切り替えるだけで問題はないが、画面の一部のみを書き換える場合には、読み出し用（表示用）から書込用に切り替えられたフレームメモリは、新しいデータが反映されていない。このため、引き続き新しいデータを上書きしていく場合にはデータの欠落が生じることになる。
【００２８】
これを防止するため、実施の形態２においては、図５に示すように、書込用から読出用（表示用）に切り替えられたフレームメモリ２０２Ｂのデータを、読出用（表示用）から書込用に切り替えられたフレームメモリ２０２Ａに対して転送することにより新しいデータが反映されるようにする。
【００２９】
図６は、実施の形態２の操作表示部の具体的な構成例を示す図である。実施の形態２の複写機の概略構成は、実施の形態１（図１）と同じであり、その説明は省略する。図６に示す操作表示部は、図３（実施の形態１）に示した操作表示部にＤＭＡ転送部２２０を設けたものである。図６において、図３と同等部分には同一符号を付し、同等部分の説明は省略する。また、図６においては、説明の簡略化のために、図３で示したＤＭＡコマンド解析部２１０と、書込アドレス制御部２１１の図示は省略している。上記ＤＭＡ転送部２２０は、読出側（表示用）のフレームメモリの画像データを、書込側（書込用）のフレームメモリにデータ転送すると共に、複写機本体のＶＲＡＭ１０３にデータ転送するためのものである。
【００３０】
図６において、フレームメモリ２０２Ｂが読出側（表示用）に切り替えられた後に、フレームメモリ２０２Ｂから書込側のフレームメモリ２０２Ａにデータを転送して上書きする。逆の場合（フレームメモリ２０２Ａが読出側の場合）には、点線の矢印の経路に従ってフレームメモリ２０２Ａからフレームメモリ２０２Ｂへ転送して上書きする。また、フレームメモリ２０２Ｂからフレームメモリ２０２Ａ（あるいはフレームメモリ２０２Ａからフレームメモリ２０２Ｂ）に転送される際に、同時に、複写機本体１００にＤＭＡ転送し、ＶＲＡＭ１０３に上書きする。これにより、複写機本体１００側でも、常に最新の表示データを保持することができる。すなわち、複写機本体１００側では、ＶＲＡＭ１０３に描画する際には、ウインドウ単位で描画が行われるが、操作表示部２００から返送されてくるデータで、ＬＣＤ３００に表示されている画像データの全体像を知ることができる。
【００３１】
以上説明したように、本実施の形態２においては、表示側のフレームメモリの内容を、書込側のフレームメモリおよび複写機本体１００のＶＲＡＭ１０３に転送して上書きすることとしたので、複写機本体１００のＶＲＡＭ１０３および操作表示部２００の書込側のフレームメモリは、ＬＣＤ３００に表示される常に最新の画像データを保持することができ、画面の一部のデータを書き換えることが容易となる。
【００３２】
（実施の形態３）
実施の形態３を、図７〜図１２を参照して説明する。ところで、通常、カラー表示用のＶＲＡＭは、図７に示すように、複数のプレーンを用いて色情報を保持することが多い。例えば、１６ビット幅のＤＲＡＭを使う場合には、図８に示すように、１６ビットを画素０〜画素１５までに対応させ、一回のＤＲＡＭアクセスで１６画素を読み取れるようにしている。この１６ビット幅のＤＲＡＭを４個並べて４プレーンを構成すれば、同じ位置に対応する４ビットのデータで１６色を意味するように構成することができる。
【００３３】
この方式の利点は、ＣＰＵで直接描画する場合に、一回あたりのアクセス画素を多くすることができるので（上記例では１６画素）、カラー表示の場合でも、高速の描画が可能となる。しかしながら、この方式は描画時には有利になるが、ＤＭＡ転送する場合には、バス幅が広くなるので、操作表示部に転送しようとすると、接続ハーネスの本数が多くなり、構成が大がかりになるという問題がある。
【００３４】
そこで、実施の形態３では、複写機本体１００から操作表示部２００にデータ転送する場合に、メモリに格納されたデータをバス幅に変換して転送して、簡易な構成でデータ転送を可能とした。
【００３５】
図９は、実施の形態３の複写機本体の表示系の概略構成を示す図である。操作表示部２００の構成は実施の形態１（図１）と同様である。図９に示す如く、複写機本体１００の表示系は、複写機の各部の制御を行うためのメインＣＰＵ１０１と、ＤＲＡＭ１１１〜ＤＲＡＭ１１４に対してＬＣＤ３００に表示すべき画像データの一括書込みおよび操作表示部２００へのＤＭＡ転送を行うためのメモリＩ／Ｆ＆ＤＭＡＣ１１０と、画像データを格納するための４つのＤＲＡＭ１１１〜ＤＲＡＭ１１４とを備えている。各ＤＲＡＭ１１１〜ＤＲＡＭ１１４は、プレーン１〜４に各々対応する。
【００３６】
図１０はメモリＩ／Ｆ＆ＤＭＡＣ１１０のインターフェース部の概略構成を示す図である。メモリＩ／Ｆ＆ＤＭＡＣ１１０のインターフェース部は、４つのＤＲＡＭ１１１〜１１４に対する個別書込み、一括書込み等の制御を行う。具体的には、インターフェース部は、セレクタ１３０で各プレーン１〜４（ＤＲＡＭ１１１〜１１４）を選択して、４つのＤＲＡＭ１１１〜１１４に対する個別書き込みを一括して行う。
【００３７】
図１１は、メモリＩ／Ｆ＆ＤＭＡＣ１１０のＤＭＡＣ部の概略構成を示す図である。同図に示す如く、メモリＩ／Ｆ＆ＤＭＡＣ１１０のＤＭＡＣ部は、ラッチ部１２０と、２画素パッキング部１２１と、８ビットシリアル化部１２２とを備える。ＤＭＡＣ部では、ＤＲＡＭ１１１〜１１４から読み出したデータを８ビットのバス幅に修正した後に操作表示部２００に転送する。具体的には、ラッチ部１２０では、各ＤＲＡＭ１１１〜１１４の１６ビットデータをラッチして６４ビットデータとして出力し、２画素パッキング部１２１では、２画素（１画素：４ビット）のデータをパッキングして８ビットシリアル化部１２２に転送し、８ビットシリアル化部１２２では、図１２に示すように、４ビット１画素のデータを２画素分の８ビットの単位で、操作表示部２００にＤＭＡ転送する。これに応じて、操作表示部２００ではフレームメモリ２０２にデータが格納される。
【００３８】
以上説明したように、実施の形態３によれば、４つのＤＲＡＭ１１１〜１１４に対する個別書き込みを一括して行い、操作表示部側にＤＭＡ転送する場合には、４つのＤＲＡＭ１１１〜１１４に格納されたデータを、８ビットのバス幅に修正して転送することとしたので、ＤＭＡ転送の際に使用するバスのバス幅を小さくすることができ、また、操作表示部２００でのメモリ格納後の処理を簡単に行うことが可能となる。
【００３９】
なお、本発明は、上記した実施の形態に限定されるものではなく、発明の要旨を変更しない範囲で適宜変形可能である。
【００４０】
【発明の効果】
以上説明したように，本発明によれば、装置本体側では、データ描画手段は、第１の記憶手段に表示装置に表示すべき画像データを描画し、データ転送手段は、第１の記憶手段に描画された画像データをウインドウ単位で表示装置側に転送し、これに応じて表示装置側では、書込手段は、少なくとも２つのフレームメモリを備えた第２の記憶手段の一方のフレームメモリを書込用として、データ転送手段から転送される画像データを書き込み、表示手段は、第２の記憶手段の他方のフレームメモリを表示用として、当該他方のフレームメモリに格納されている画像データを読み出して表示部に表示し、切替手段は、少なくとも２つのフレームメモリの役割を切り替えることとしたので、データ転送量を低減でき、また、高速な表示が可能となる。
【００４１】
また、本発明によれば、表示装置では、メモリ間データ転送手段により、表示用に切り替えられたフレームメモリに格納されている画像データを、書込用に切り替えられたフレームメモリに転送することとしたので、請求項１に記載の発明の効果に加えて、書込用のフレームメモリは、表示部に表示される常に最新の画像データを保持することが可能となる。
【００４２】
また、本発明によれば、表示装置では、逆転送手段により、表示用に切り替えられたフレームメモリに格納されている画像データを、装置本体の第１の記憶手段に転送することとしたので、請求項２に記載の発明の効果に加えて、装置本体側の第１の記憶手段は、表示部に表示される常に最新の画像データを保持することができ、画面の一部のデータを書き換えることが容易となる。
【００４３】
また、本発明によれば、データ描画手段は、画像データを第１の記憶手段に対して同時多ビット書込を行い、データ転送手段は、第１の記憶手段に描画された画像データを読み出し転送バスのデータ幅にデータ変換して表示装置側に転送することとしたので、装置本体と表示装置間のバスのバス幅を小さくすることができる。
【００４４】
また、本発明によれば、装置本体側に設けられた第１の記憶手段に、表示装置に表示すべき画像データを描画し、第１の記憶手段に描画された画像データを装置本体側から表示装置側に転送し、少なくとも２つのフレームメモリの一方のフレームメモリを書込用として装置本体側から転送される画像データを書き込み、他方のフレームメモリを表示用として、当該他方のフレームメモリに格納されている画像データを読み出して表示部に表示し、そして、少なくとも２つのフレームメモリの役割を切り替えることとしたので、データ転送量を低減でき、また、高速な表示が可能となる。
【図面の簡単な説明】
【図１】  実施の形態１において、複写機の表示系の概略構成例を示す図である。
【図２】  図１の複写機本体のＤＭＡＣのデータ転送を説明するための説明図である。
【図３】  図１の操作表示部の具体的な構成例を示す図である。
【図４】  図１のＤＭＡＣから転送されるデータのフォーマットの一例を示す図である。
【図５】  実施の形態２において、フレームメモリ間のデータ転送を説明するための説明図である。
【図６】  実施の形態２において、操作表示部の具体的な構成例を示す図である。
【図７】  実施の形態３において、カラー表示用のＶＲＡＭの複数のプレーンを示す図である。
【図８】  実施の形態３において、図７のＶＲＡＭの読取画素数を説明するための図である。
【図９】  実施の形態３において、複写機本体の表示系の概略構成例を示す図である。
【図１０】  図９のメモリＩ／Ｆ＆ＤＭＡＣのインターフェース部の概略構成例を示す図である。
【図１１】  実施の形態３において、図９のメモリＩ／Ｆ＆ＤＭＡＣのＤＭＡＣ部の概略構成例を示す図である。
【図１２】  実施の形態３において、ＤＭＡ転送されるデータの単位を説明するための説明図である。
【図１３】複写機本体とＬＣＤ等を使用した操作表示部とのインターフェースに関する従来技術を説明するための図である。
【図１４】複写機本体とＬＣＤ等を使用した操作表示部とのインターフェースに関する従来技術を説明するための図である。
【符号の説明】
１００    複写機本体
１０１    メインＣＰＵ
１０２    ＤＭＡＣ（ＤＭＡコントローラ）
１０３    ＶＲＡＭ
１０４    バス
１１０    Ｉ／Ｆ＆ＤＭＡＣ
１１１〜１１４  ＤＲＡＭ
２００    操作表示部
２０１    ＬＣＤＣ（液晶表示コントローラ）
２０２    フレームメモリ
２１０    ＤＭＡコマンド解析部
２１１    書き込みアドレス制御部
２１２    セレクタ
２１３    カラーパレット
２１４    階調制御部
２１５    フォーマット変換部
２２０    ＤＭＡ転送部
３００    ＬＣＤ
【図１】
0003967027.tif 000002
【図２】
0003967027.tif 000003
【図３】
0003967027.tif 000004
【図４】
0003967027.tif 000005
【図５】
0003967027.tif 000006
【図６】
0003967027.tif 000007
【図７】
0003967027.tif 000008
【図８】
0003967027.tif 000009
【図９】
0003967027.tif 000010
【図１０】
0003967027.tif 000011
【図１１】
0003967027.tif 000012
【図１２】
0003967027.tif 000013
【図１３】
0003967027.tif 000014
【図１４】
0003967027.tif 000015